(57)【特許請求の範囲】
【請求項１】
遊技媒体を貯留可能な受皿を備えた遊技機に対応して設けられ、当該対応する遊技機の前記受皿に対して払出ノズルを介して遊技媒体を払出す遊技装置であって、
前記払出ノズルは、複数のガイド部材を含んで構成され、
前記複数のガイド部材の内、終端に設けられる終端ガイド部材の側面には、当該終端ガイド部材が前記遊技機の受皿に当接した場合であっても払出対象となる遊技媒体を通過可能とする開口部が設けられ、
前記ガイド部材には、スライド機構が設けられるスライドガイド部材が少なくとも複数含まれ、当該ガイド部材の自重により前記スライドガイド部材がスライドすることで、前記受皿の高さが異なる複数種類の遊技機の受皿に前記終端ガイド部材を当接可能とすることを特徴とする遊技装置。
【請求項２】
前記ガイド部材は、第１嵌合部と、他のガイド部材における前記第１嵌合部を嵌合可能な第２嵌合部とが設けられ、一方のガイド部材の前記第１嵌合部と他方のガイド部材の前記第２嵌合部とを嵌合することで複数のガイド部材を接続可能であり、
前記スライド機構は、前記第１嵌合部を凸状に形成する一方、前記第２嵌合部を長穴状に形成することで、前記スライドガイド部材をスライド可能とすることを特徴とする請求項１に記載した遊技装置。
【請求項３】
前記ガイド部材は、第１嵌合部と、他のガイド部材における前記第１嵌合部を嵌合可能な第２嵌合部とが設けられ、一方のガイド部材の前記第１嵌合部と他方のガイド部材の前記第２嵌合部とを嵌合することで複数のガイド部材を接続可能であると共に、その断面が略楕円状、或いは略長方形状となるように形成され、
前記第１嵌合部、及び前記第２嵌合部は、前記ガイド部材の略楕円状に形成される断面の短径に対応した側面、或いは略長方形状に形成される断面の短辺に対応した側面に設けられることを特徴とする請求項１又は２に記載した遊技装置。
【請求項４】
前記ガイド部材は、第１嵌合部と、他のガイド部材における前記第１嵌合部を嵌合可能な第２嵌合部とが設けられ、一方のガイド部材の前記第１嵌合部と他方のガイド部材の前記第２嵌合部とを嵌合することで複数のガイド部材を接続可能であり、
前記第１嵌合部と前記第２嵌合部とは、対応する遊技機に対して平行方向に各々が対向して設けられることで、対応する遊技機に対して垂直方向に前記ガイド部材を搖動可能とすることを特徴とする請求項１から３の何れか一項に記載した遊技装置。
【請求項５】
前記ガイド部材は、前記第１嵌合部と前記第２嵌合部とが、対応する遊技機に対して平行方向に各々が対向して設けられる第２ガイド部材を含み、更に前記第１嵌合部と前記第２嵌合部との内、前記第２ガイド部材との嵌合対象になる一方の嵌合部は対応する遊技機に対して平行方向に各々が対向して設けられると共に、前記第２ガイド部材との嵌合対象にならない他方の嵌合部は対応する遊技機に対して垂直方向に各々が対向して設けられることで、対応する遊技機に対して平行方向に前記ガイド部材を搖動可能とする第１ガイド部材を含んで構成されることを特徴とする請求項４に記載した遊技装置。
【発明の詳細な説明】
【技術分野】
【０００１】
本発明は遊技装置に関する。
【背景技術】
【０００２】
遊技場では、例えば特許文献１に示されるように玉を貸出す遊技装置に払出ノズル（以下、ノズルと称する）を設け、そのノズルを介して遊技機の上皿（上部受皿）へと玉を貸出すようにしているが、対応する遊技機には様々な種類があり、遊技機によって上皿の高さが異なるので、ノズルアームに対して接続されるノズルガイドを複数のガイド部材により構成し、そのガイド部材の取付数を増減してノズルガイドの長さを調整し、ノズルから玉を払出す際に玉が零れないように調整していた。
【先行技術文献】
【特許文献】
【０００３】
【特許文献１】特開２００２−１０２５２７号公報
【発明の概要】
【発明が解決しようとする課題】
【０００４】
しかしながら、遊技機を入替える度にガイド部材の取付数を増減してノズルガイドの長さを調整する方法では、ガイド部材を取外したり取付けたりする作業が面倒であり、多くの遊技場では取敢えず玉が払出可能であれば、細かな調整を行うことなくそのままの長さで営業しているのが実情である。このような事情から、玉が零れる虞をどうしても低減することが難しいという問題があった。
【０００５】
本発明は、上記した事情に鑑みてなされたものであり、その目的は、ノズルガイドの長さの調整に係る労力を低減することができる遊技装置を提供することにある。
【課題を解決するための手段】
【０００６】
請求項１に記載した発明によれば、ガイド部材の自重により複数のスライドガイド部材がスライドすることで、上皿の高さが異なる複数種類の遊技機に対応するための調整に係る労力を低減することができる。
【図面の簡単な説明】
【０００７】
【図１】本発明の一実施形態の遊技場用システムの全体構成を示す図
【図２】比較対象の払出ノズルと上皿との位置関係を示す図
【図３】ガイド部材同士の接続を示す斜視図
【図４】ガイド部材を取外す態様を示す斜視図
【図５】ガラス扉とノズルガイドとの位置関係を示す縦断側面図
【図６】払出ノズルの全体構成を示す正面図
【図７】ノズルアームの正面図
【図８】第１ガイド部材の側面図及び平面図
【図９】第２ガイド部材の側面図及び平面図
【図１０】第３ガイド部材の側面図及び平面図
【図１１】払出ノズルと上皿との位置関係を示す図
【図１２】ガイド部材同士の接続を示す斜視図
【図１３】ガイド部材がスライドする態様を示す縦断側面図
【図１４】ガラス扉とノズルガイドとの位置関係を示す縦断側面図
【図１５】払出ノズルと上皿との位置関係を示す図
【図１６】ガイド部材同士の接続を示す斜視図
【図１７】ガイド部材がスライドする態様を示す縦断側面図
【図１８】ガイド部材を取外す態様及び取付ける態様を示す斜視図
【図１９】ガイド部材同士の接続を示す斜視図
【図２０】ガイド部材同士の接続を示す斜視図
【図２１】嵌合凸部及び嵌合穴部を示す横断平面図
【図２２】嵌合凸部及び嵌合穴部を示す横断平面図
【図２３】嵌合凸部及び嵌合穴部を示す横断平面図
【発明を実施するための形態】
【０００８】
以下、本発明の一実施形態について図面を参照して説明する。
図１は、遊技場用システムの全体構成を示している。遊技場内には多数の遊技機１が設置されており、各遊技機１に対応して遊技装置２が設置されている。これら遊技機１、遊技装置２及び表示装置３は２台ずつ中継装置４と接続されており、中継装置４はＬＡＮ５を介して管理装置６と接続されている。又、遊技場にはＰＯＳや残高精算機（何れも図示せず）も設置されており、これらＰＯＳや残高精算機もＬＡＮ５を介して管理装置６と接続されている。尚、図１では図示を省略したが、実際には例えば数百台の遊技機１が管理装置６の管理対象となっている。
【０００９】
管理装置６は、遊技場内の例えば事務室等に設置されており、遊技場の管理者が操作するキーボード７、マウス８、モニタ９、プリンタ（図示せず）等が接続されている。管理装置６は、遊技機側（遊技機１、遊技装置２等）から出力される遊技信号を入力することで、遊技機１毎の遊技データ、会員登録された会員毎の個人データ、遊技機１や遊技装置２等の稼動状態等を管理する。
【００１０】
遊技機１は、ＣＲ（カードリーダ）パチンコ遊技機であり、盤面１０に玉（遊技媒体）を発射する発射装置を構成する操作ハンドル１１、玉を貯留可能な上皿（上部受皿、受皿に相当する）１２、下皿（下部受皿）１３を有すると共に、盤面１０に、液晶表示部１４、普図入賞口１５、第１始動口１６、第２始動口１７、大入賞口１８を有する。又、盤面１０の正面側（盤面１０に対して垂直方向、手前方向）にはガラス扉１９が開放可能に設けられている。
【００１１】
遊技機１は以下に示すように動作する。
（１）第１始動口１６は入賞率が変動しない入賞口（所謂ヘソ入賞口）であり、第２始動口１７は入賞率が変動する入賞口（所謂電チュー）である。各始動口１６、１７への入賞（始動入賞）に応じて大当たり抽選を行い、抽選結果を液晶表示部１４にて行う図柄変動にて報知し、その変動結果に応じて大当たりとなる。
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
（３）大当たり抽選の当選確率（大当たり確率）は１／２６０であり、大当たりがその後確変状態（確変）となる大当たり（確変大当たり）となる割合である確変率は（通常状態、確変状態共に）６６．６％である。大当たりが発生すると対応するラウンド（Ｒ）分だけ大入賞口１８を開放する。
【００１２】
（４）対応するラウンドも大当たり抽選と同様に抽選され、その振分率は第１始動口１６に入賞した場合は４Ｒが５５％であり、１５Ｒが４５％であるが、第２始動口１７に入賞した場合は４Ｒが１０％であり、１５Ｒが９０％であり、入賞に応じた図柄変動の保留消化優先順位は第１始動口１６よりも第２始動口１７の方が高く設定されている。尚、１Ｒの上限入賞数は９個であり、上限開放期間は４Ｒでは２秒である一方、１５Ｒでは３０秒であり、上限入賞数又は上限開放期間の何れかが満たされた場合に１Ｒを終了する。
（５）確変中は大当たり確率が１／７４に向上すると共に、各始動口１６、１７への入賞率が高くなる時短状態（時短）になる。尚、確変は次回大当たりまで継続するので、大当たり後に大当たりでも確変でもない状態である通常遊技状態（通常状態）となる大当たり（通常大当たり）が発生するまで継続し、その後は所定数（例えば１００回）の図柄変動を行うまで時短状態となり、その後に通常状態となる。
（６）第２始動口１７は普図入賞口１５への入賞に応じて変動する普通図柄（普図）が当たりとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１７の入賞率が高くなる。尚、上記は単なる例示であり、例示した数値等のスペックは機種に応じて異なる数値等が採用される。
【００１３】
遊技機１及び当該遊技機１に付設された周辺機器は、遊技者による玉の打ち込みや各始動口１６、１７への始動入賞等の遊技の進行に伴って、以下に示す遊技信号を出力する。
アウト信号＝消費玉を回収するアウトＢＯＸから出力される消費価値（アウト）を特定可能な信号である。消費（使用、打込、回収）玉１０玉に対して１パルスが出力されるので、「アウト信号数×１０」をアウトとして特定する。尚、遊技機１から出力される信号でも良い。
セーフ信号＝遊技機１から出力される入賞付与価値（セーフ）を特定可能な信号である。払出１０玉に対して１パルスが出力されるので、「セーフ信号数×１０」をセーフとして特定する。
【００１４】
始動信号＝遊技機１から出力される始動入賞（特定の入賞）により変動（作動）する液晶表示部１４（役物）におけるスタート処理（図柄変動、役物作動、単位遊技）を特定可能な信号である。図柄変動確定時に出力されるので、始動信号の入力に応じてスタート処理を特定し、「始動信号×１」をスタート回数（スタート処理数）として特定する。尚、第１始動口１６又は第２始動口１７への入賞を示す信号でも良い。
大当たり信号＝遊技機１から出力される大当たり期間を特定可能な信号である。大当たり中にレベル出力される状態信号であるので、大当たり信号の入力中を大当たり中として特定する。
特別状態信号＝遊技機１から出力される特別状態（甘中）を特定可能な信号である。第２始動口１７の入賞率が向上する特別状態中（時短中）にレベル出力される状態信号であるので、特別状態信号の入力中を特別状態中として特定する。又、大当たり信号及び特別状態信号の何れも入力していない期間を通常状態として特定する。
【００１５】
遊技装置２は、所謂各台計数機能付の貸出機であり、遊技機１の遊技状態を示す状態表示灯２０、貨幣（遊技者の貨幣価値、有価価値）が投入される貨幣投入口２１、遊技者からの操作入力を受付けると共に遊技の進行に伴って図柄変動回数（スタート回数）や大当たり確率等の遊技データを表示するタッチパネル式の液晶表示部２２、持玉（遊技者が遊技により獲得した遊技価値である獲得価値、有価価値、会員であれば貯玉も含む）を払出すための払出釦２３、払出された玉が通過する払出ノズル（以下、ノズルと称する）２４、一般カード（持玉券、記録媒体）や会員カード（記録媒体）が挿入されるカード挿入口２５、遊技機１の下皿１３の下方に位置する着脱可能な計数受皿２６等を有する。尚、図１では、詳しくは後述するがノズル２４を構成する一部材であるノズルアームのみを示している。
【００１６】
遊技装置２は、以下に示すように動作する。
（１）貨幣を受付けると（貨幣受付処理）、遊技機１と遊技装置２との双方に入金額を残高に加算して表示し、残高がある状態で遊技機１の貸出釦（図示せず）が押下されると（貸出操作）、貸出１単位（例えば５００円）分の貸出玉（対価付与価値）を遊技機１から払出し（対価付与処理）、レートに応じた対価分を残高から引落とす（減算する）。尚、貨幣は複数回の対価付与処理の対応分を受付可能である（例えば１万円まで）。
【００１７】
（２）遊技機１の下皿１３から落下した玉を計数受皿２６により受けると、その受けた玉を計数して持玉として特定し、その持玉を対価とした払出しも可能とする。払出釦２３が押下されると（持玉の再プレイ操作、付与操作）、対価額単位（例えば５００円）分の持玉をノズル２４から払出し（持玉の再プレイ処理、獲得価値を対価として遊技者へと遊技価値を付与する付与処理）、その対価分（払出した玉数と同数）を持玉から引落とす（減算する）。ノズル２４から払出された玉は上皿１２に貯まる。
【００１８】
（３）残高や持玉が残存する状態で遊技機１の返却釦（図示せず）が押下されると（発行操作）、ストックしている残高や持玉を特定可能な一般カードを発行する（獲得価値を対応付けた記録媒体を発行する発行処理）。尚、持玉の一部や残高のみを発行対象とする分割発行も可能とする。又、一般カードを受付けた場合は、その残高や持玉を引継ぐ。
【００１９】
（４）遊技場の会員となった遊技者に配布される会員カードも受付可能であり、会員カードに対して一般カードと同様に持玉や残高を対応付け可能である。但し、残高は一般カードと同様に会員カードに残高情報が書込まれるが、持玉は会員カードに持玉情報が書込まれずに管理装置６にて会員カードのＩＤである会員ＩＤと対応付けて管理され、会員ＩＤが対応付けられると貯玉として特定される。即ち、遊技者の獲得価値として会員ＩＤに対応付けられた獲得価値が貯玉となり、未対応の獲得価値が持玉となる。貯玉は払戻しや景品交換等を当日も含めて翌日以降でも可能とするが、持玉は払戻しや景品交換等を当日限りのみで可能とする等、貯玉と持玉とでは有効期限が設けられる等の性質の違いがある。
【００２０】
（５）中継装置４とのシリアル通信により管理装置６にて貨幣受付処理や対価付与処理、残高や持玉、貸出玉数、払戻玉数、入金額、計数玉数や貸出玉数や貸出玉の対価となる売上額、及び一般カードの受付けや発行処理等の各種情報を特定可能とするが、これらをパルス信号（例えば入金１０００円毎に１パルス、売上１００円毎に１パルス等）にて特定可能としても良い。尚、このような貸出処理上の通信については中継装置４を介さずに遊技機１と遊技装置２との間で直接行っても良い。
【００２１】
（６）遊技場の営業終了後には管理装置６等からの操作により試打ちモードとすることが可能である。この試打ちモードでは対価を要することなく玉の払出しを行う。この場合、試打ちモードとなり、更に所定の開始操作（例えば各遊技装置２の払出釦２３の押下）を行ってから更に所定の終了操作（例えば同じく払出釦２３の押下）を行うまで所謂垂れ流し（ソフトウェア的な制御を行うことなく玉を払出可能であれば払出しを継続する払出方法）にて玉を払出す。試打ちモードにより玉を払出す場合に、遊技機１の上皿１２に貯まっている玉が少なく、玉を払出すスペースがあれば、玉を払出し続ける一方、上皿１２に貯まっている玉が多く、玉を払出すスペースがなければ、玉の払出しを一時停止する。
【００２２】
さて、前述した［発明が解決しようとする課題］で述べたように、遊技機１の上皿１２の高さが様々であることから、ノズル２４ではノズルアームの先端部から上皿１２に向かって下方に延びるノズルガイドの長さを調整する必要があるが、ガイド部材の取付数を増減してノズルガイドの長さを調整する方法では、ガイド部材を取外したり取付けたりする作業が面倒であるという課題がある。このような課題が生じる従来の構成について図２から図５を参照して説明する。尚、図２以降では上皿１２を簡略化して示している。
【００２３】
図２に示すように、従来のノズル２０１は、ノズルアーム２０２と、ノズルアーム２０２の先端部から上皿１２に向かって下方に延びるノズルガイド２０３とから構成され、ノズルガイド２０３は均一（同じ構成）のガイド部材２０４が複数（図２では５個）接続されて構成されている。各ガイド部材２０４は、図３に示すように、断面が略楕円状の筒状をなす本体部２０５と、その本体部２０５の側面であって長径に平行な長径面部２０５ａの上部に設けられている一対の爪状の嵌合部２０６とを有する。このような構成では、ガイド部材２０４の取付数を増減してノズルガイド２０３の長さを調整し、ノズル２０１の終端（ノズルガイド２０３の終端でもあり、最下位のガイド部材２０４の下端でもある）から上皿１２の底面部１２ａまでの距離を調整していた。
【００２４】
しかしながら、上記した構成では、ガイド部材２０４を取外す際には、図４に示すように、一方の嵌合部２０６を下側に下げる等して上下にガイド部材２０４を搖動させる必要があり、この作業が非常に面倒であるので、多くの遊技場ではその作業を煩わしく思い、上皿１２の高さが異なる何れの遊技機１でもノズルガイド２０３の長さを払出可能な程度の短い長さとしていた。又、遊技機１の上皿１２が遊技機１に対して平行方向（左右方向）に長く形成されているので、その上皿１２の形状に合わせて搖動するように嵌合部２０６が本体部２０５の長径面部２０５ａに設けられている。そのため、ノズルガイド２０３は、平行方向に大きく搖動する一方、垂直方向に余り搖動せず、図５に示すように、ガイド部材２０４の取付数を増やし（図５では９個のガイド部材２０４を接続し）、ノズル２０１の終端を上皿１２の底面部１２ａに切迫させると、遊技機１のガラス扉１９を開放する際に上皿１２とガイド部材２０４とが干渉してガイド部材２０４が破損する虞があり、ノズル２０１を上皿１２から退避させる作業が必要となることからも、ノズルガイド２０３の長さが短く調整される傾向があった。このようにノズルガイド２０３の長さが短く調整され、ノズル２０１の終端が上皿１２から大きく離れてしまうと、遊技する際や試打ちの際に玉零れが発生し易かった。このような課題に対し、本実施形態のノズル２４は以下のように構成されている。以下、本実施形態のノズル２４の構成について図６から図２３を参照して説明する。
【００２５】
図６に示すように、ノズル２４は、ノズルアーム３１と、ノズルアーム３１の先端部から上皿１２に向かって下方に延びるノズルガイド４１とから構成されている。ノズルガイド４１は、前述したノズルガイド２０３とは構成が異なり、第１ガイド部材５１（スライドガイド部材に相当する）と、第２ガイド部材６１（スライドガイド部材に相当する）と、第３ガイド部材７１（終端ガイド部材、スライドガイド部材に相当する）とを含んで構成されている。各ガイド部材５１、６１、７１は、各々構成が異なり、ノズルアーム３１の先端部から上皿１２に向かって第１ガイド部材５１、第２ガイド部材６１、第３ガイド部材７１の順で取付けられており、ノズルアーム３１、第１ガイド部材５１、第３ガイド部材７１は１個ずつ設けられているが、第２ガイド部材６１はノズルガイド４１の長さを調整するために１個以上設けられている（図６では３個の第２ガイド部材６１が設けられている）。即ち、第２ガイド部材６１の取付数を増減することで、ノズルガイド４１の長さを調整可能である。
【００２６】
ノズルアーム３１は、図７に示すように、長尺形状のアーム本体部３２を有し、そのアーム本体部３２の先端部は断面が略楕円状をなし、その側面であって長径に対して平行な（短径に対して直交する）長径面部３２ａには一対の嵌合凸部３３が形成されている。図７では手前側の嵌合凸部３３のみを示しているが、奥側にも手前側の嵌合凸部３３と同様の嵌合凸部３３が形成されている。
【００２７】
第１ガイド部材５１は、図８に示すように、断面が略楕円状の筒状をなす本体部５２と、その本体部５２の側面であって長径に対して平行な（短径に対して直交する）長径面部５２ａの上部に設けられている一対の爪部５３と、その本体部５２の側面であって短径に対して平行な（長径に対して直交する）短径面部５２ｂ（略楕円状に形成される断面の短径に対応した側面）の下部に設けられている一対の嵌合凸部５４（第１嵌合部、第２ガイド部材との嵌合対象になる一方の嵌合部に相当する）とを有する。即ち、嵌合凸部５４は、遊技機１に対して平行方向に各々が対向して設けられている。爪部５３には長径が垂直方向（上下方向）となる略楕円状の長穴が形成されており、その長穴がノズルアーム３１の嵌合凸部３３を嵌合可能な嵌合穴部５５（第２嵌合部、第２ガイド部材との嵌合対象にならない他方の嵌合部に相当する）とされている。即ち、嵌合穴部５５は、遊技機１に対して垂直方向に各々が対向して設けられている。このような構成では、ノズルアーム３１の嵌合凸部３３と第１ガイド部材５１の嵌合穴部５５とによりスライド機構が構成され、嵌合凸部３３と嵌合穴部５５とを嵌合することで、ノズルアーム３１と第１ガイド部材５１とを接続可能となり、嵌合穴部５５が長穴で形成されているので、ノズルアーム３１に対して第１ガイド部材５１がスライド可能となる。
【００２８】
第２ガイド部材６１は、図９に示すように、断面が略楕円状の筒状をなす本体部６２と、その本体部６２の側面であって短径に対して平行な（長径に対して直交する）短径面部６２ａ（略楕円状に形成される断面の短径に対応した側面）の上部に設けられている一対の爪部６３と、短径面部６２ａの下部に設けられている一対の嵌合凸部６４（第１嵌合部に相当する）とを有する。爪部６３には長径が垂直方向（上下方向）となる略楕円状の長穴が形成されており、その長穴が第１ガイド部材５１の嵌合凸部５４又は他の第２ガイド部材６１の嵌合凸部６４を嵌合可能な嵌合穴部６５（第２嵌合部に相当する）とされている。このような構成では、第１ガイド部材５１の嵌合凸部５４と第２ガイド部材６１の嵌合穴部６５とによりスライド機構が構成され、嵌合凸部５４と嵌合穴部６５とを嵌合することで、第１ガイド部材５１と第２ガイド部材６１とを接続可能となり、嵌合穴部６５が長穴で形成されているので、第１ガイド部材５１に対して第２ガイド部材６１がスライド可能となる。又、一方の第２ガイド部材６１の嵌合凸部６４と他方の第２ガイド部材６１の嵌合穴部６５とによりスライド機構が構成され、嵌合凸部６４と嵌合穴部６５とを嵌合することで、一方の第２ガイド部材６１と他方の第２ガイド部材６１とを（即ち第２ガイド部材６１同士を）接続可能となり、嵌合穴部６５が長穴で形成されているので、一方の第２ガイド部材６１に対して他方の第２ガイド部材６１がスライド可能となる。
【００２９】
第３ガイド部材７１は、図１０に示すように、断面が略楕円状の筒状をなす本体部７２と、その本体部７２の側面であって短径に対して平行な（長径に対して直交する）短径面部７２ａ（略楕円状に形成される断面の短径に対応した側面）の上部に設けられている一対の爪部７３と、その本体部７２の側面であって下部に形成されている開口部７４とを有する。爪部７３には長径が垂直方向（上下方向）となる略楕円状の長穴が形成されており、その長穴が第２ガイド部材６１の嵌合凸部６４を嵌合可能な嵌合穴部７５（第２嵌合部に相当する）とされている。開口部７４は、横方向及び下方向に開口している。このような構成では、第２ガイド部材６１の嵌合凸部６４と第３ガイド部材７１の嵌合穴部７５とによりスライド機構が構成され、嵌合凸部６４と嵌合穴部７５とを嵌合することで、第２ガイド部材６１と第３ガイド部材７１とを接続可能となり、嵌合穴部７５が長穴で形成されているので、第２ガイド部材６１に対して第３ガイド部材７１がスライド可能となる。
【００３０】
尚、各ガイド部材５１、６１、７１において各本体部５２、６２、７２の断面が略楕円状であるのは以下の理由による。各ガイド部材５１、６１、７１は玉を払出す際に余裕を持たせるため、玉よりも幾分か大きく形成する必要があるが、遊技機１に対して垂直方向（手前方向、奥行方向）に大きくすると、見た目として圧迫感が生じ得る。又、遊技機１の上皿１２が遊技機１に対して平行方向（左右方向）に長く形成されているので、払出す玉がばらつく許容範囲は平行方向には大きい一方、垂直方向には小さくなる。よって、遊技機１に対して平行方向が長径となるように各本体部５２、６２、７２の断面が略楕円状に形成されている。
【００３１】
さて、前述したように遊技場には遊技場へと設置された場合に上皿１２の高さが異なる複数種類の遊技機１が設置されている。これ以降、上皿１２の高さが異なる遊技機１に対応して上記した構成のノズル２４を有する遊技装置２を設けた場合について説明する。尚、遊技機１に対応して遊技装置２を設けた場合、第３ガイド部材７１の開口部７４が上皿１２の下手方向（遊技機１の操作ハンドル１１に近い方向）に向かって開口する。
【００３２】
図１１は、上皿１２が比較的高い位置にある遊技機１に対応して遊技装置２を設けた場合を例示している。図１２及び図１３に示すように、上記した各ガイド部材５１、６１、７１の各嵌合穴部５５、６５、７５が長穴状に形成されているので、その長穴分のスライドが可能であり、各ガイド部材５１、６１、７１の自重によりノズル２４の終端（ノズルガイド４１の終端でもあり、最下位のガイド部材である第３ガイド部材７１の下端でもある）が上皿１２の底面部１２ａに当接するまでスライドして上皿１２の底面部１２ａまでの距離が調整され、ノズル２４の終端が上皿１２の底面部１２ａに当接することで玉を払出す際に玉が弾んで零れる虞が低減される。この場合、上皿１２が比較的高い位置にあるので、後述する図１６及び図１７と比較すると、スライド量は比較的短くなる。図１３では、ガイド部材５１、６１同士がスライドする態様を例示しているが、他のガイド部材同士がスライドする態様も同様である。
【００３３】
そして、第３ガイド部材７１の本体部７２の側面に開口部７４を設けているので、ノズル２４の終端が上皿１２の底面部１２ａに当接しても玉の排出に影響を及ぼす虞を低減している。尚、開口部７４が下手方向となるように、即ち、図１１や後述する図１５にて右方向となるように、第３ガイド部材７１が第２ガイド部材６１に接続される。又、打込玉数に対する設定値等により玉の払出しを停止せずに上皿１２に貯まった玉に干渉するまで玉を払出す所謂垂れ流し状態でも、従来のノズルとは異なり、上皿１２に玉が貯まれば干渉するので、その干渉により玉の払出しは停止する。
【００３４】
更に、第１ガイド部材５１は本体部５２の長径面部５２ａに嵌合穴部５５が設けられているので、ノズルガイド４１が遊技機１に対して平行方向（図１２及び後述する図１６にて矢印Ａ１，Ａ２で示す方向）に搖動する一方、第２ガイド部材６１及び第３ガイド部材７１はそれぞれ本体部６２の短径面部６２ｂ及び本体部７２の短径面部７２ｂに嵌合穴部６５、７５が設けられているので、ノズルガイド４１が遊技機１に対して垂直方向（図１２及び後述する図１６にて矢印Ｂ１，Ｂ２で示す方向）に大きく搖動する。そのため、図１４に示すように、ノズル２４の終端が上皿１２の底面部１２ａに当接して、或いは当接する程にノズル２４が遊技機１に接近し、ノズル２４の終端が上皿１２の壁部１２ｂの最上部１２ｃよりも下方にあっても、ガラス扉１９を開放する際に、ノズルガイド４１が遊技機１に対して垂直方向に傾斜するので、上皿１２との干渉による支障が生ずる虞も低減される。ガラス扉１９を閉鎖する際も同様であり、ノズルガイド４１を傾斜させた状態でガラス扉１９を閉鎖可能となる。この場合、嵌合穴部６５、７５が長穴状であるので、搖動領域が大きくなることでも、上皿１２との干渉による支障が生ずる虞がより低減される。
【００３５】
図１５は、上皿１２が比較的低い位置にある遊技機１に対応して遊技装置２を設けた場合を例示している。図１６及び図１７に示すように、この場合も、各ガイド部材５１、６１、７１の自重によりノズル２４の終端が上皿１２の底面部１２ａに当接するまでスライドして上皿１２の底面部１２ａまでの距離が調整され、ノズル２４の終端が上皿１２の底面部１２ａに当接することで玉を払出す際に玉が弾んで零れる虞が低減される。この場合、上皿１２が比較的低い位置にあるので、前述した図１２及び図１３と比較すると、スライド量は比較的長くなる。図１７でも、ガイド部材５１、６１同士がスライドする態様を例示しているが、他のガイド部材同士がスライドする態様も同様である。
【００３６】
尚、垂れ流し時に玉の払出しが一時的に停止するような位置関係となる等、必ずしもノズル２４の終端が上皿１２の底面部１２ａに当接しなくとも良い。又、各ガイド部材５１、６１、７１のスライドを許容する距離は少なくとも玉の直径よりも短くすることで、スライドにより生ずる間隙から玉が零れないようにすることが望ましい。又、この場合も、ガラス扉１９を開放及び閉鎖する際に、ノズルガイド４１が傾斜するので、上皿１２との干渉による支障が生ずる虞が低減される。
【００３７】
このように各ガイド部材５１、６１、７１がスライドすることにより、第２ガイド部材６１の取付数を増減せずにノズルガイド４１の長さを調整可能であるので、遊技機１を入替える毎に第２ガイド部材６１の取付数を増減する必要性が低減する。尚、遊技機１には様々な種類があり、上記した各ガイド部材５１、６１、７１がスライドするだけでは第３ガイド部材７１の下端が上皿１２の底面部１２ａに当接しないような遊技機１もあり得ることから、従来と比較して頻度は低いが、第２ガイド部材６１の取付数を増減する場合も生じ得る。この場合、図１８に示すように、略楕円状に形成される本体部６２の短径面部６２ｂに嵌合穴部６５が設けられているので、その楕円に沿うように第２ガイド部材６１を捻ることで取外しや取付けを容易に行うことができる。例えば上皿１２が極めて高い位置にある遊技機１に対応して遊技装置２を設ける場合であり、第２ガイド部材６１を取外す必要がある場合には、取外したい第２ガイド部材６１を捻ることで容易に取外すことができる。一方、例えば上皿１２が極めて低い位置にある遊技機１に対応して遊技装置２を設ける場合であり、第２ガイド部材６１を取付ける必要がある場合には、取付けたい第２ガイド部材６１の嵌合穴部６５を取付け済みの第２ガイド部材６１の嵌合凸部６４に対して位置決めし、その取付けたい第２ガイド部材６１を捻ることで容易に取付けることができる。尚、図１８では、第２ガイド部材６１を取外したり取付けたりして第２ガイド部材６１の取付数を増減する場合を例示しているが、第２ガイド部材６１の取付数を増減する前後では第３ガイド部材７１を取外したり取付けたりすることになるが、その第３ガイド部材７１を取外したり取付けたりする場合でも、第３ガイド部材７１を捻ることで取外しや取付けを容易に行うことができる。
【００３８】
尚、上記した構成において、ノズルガイド４１を構成する各ガイド部材５１、６１、７１の全ての接続箇所でスライド可能とする必要はなく、一部の接続箇所でスライド可能とするだけでも良い。即ち、各ガイド部材５１、６１、７１の各嵌合穴部４５、５５、６５の全てを長穴状とする必要はなく、それらの一部を長穴状としても良い。又、例えば第２ガイド部材６１としてスライド可能な種別とスライド不能な種別とを設けても良いし、第２ガイド部材６１をスライド可能とする一方、第１ガイド部材５１及び第３ガイド部材７１をスライド不能とする等しても良い。
【００３９】
又、第３ガイド部材７１の開口部７４が上皿１２の下手方向となるように設けることが望ましいが、開口部７４が上皿１２の上手方向、即ち、図１１や図１５にて左方向となるように設けても良いし、開口部７４が遊技機１に対して垂直方向、即ち、図１１や図１５にて手前方向となるように設けても良い。開口部７４が上皿１２の下手方向となるように設ければ、上皿１２に貯まる玉数を少なくすることができ、開口部７４が上皿１２の上手方向や遊技機１に対して垂直方向となるように設ければ、上皿１２に貯まる玉数を多くすることができる。
【００４０】
又、各ガイド部材５１、６１、７１を含む構成において、各ガイド部材５１、６１、７１をどのように組み合わせても良いし、各嵌合凸部３３、５４、６４や各嵌合穴部５５、６５、７５や開口部７４をどのように設けても良い。例えば第１ガイド部材５１を複数設ける等、第１ガイド部材５１と第２ガイド部材６２とをどのような順序及び取付数としても良い。勿論、この場合、各嵌合凸部５４、６４や各嵌合穴部５５、６５の位置を調整して設ける必要はある。又、ノズルアーム３１のアーム本体部３２の先端部の側面であって短径に対して平行な短径面部に一対の嵌合凸部を形成し、第１ガイド部材５１を設けずにノズルアーム３１と第２ガイド部材６１とを接続しても良い。
【００４１】
又、以上は、ノズルアーム３１及び各ガイド部材５１、６１、７１において、遊技装置２の払出口側（始端側）に各嵌合凸部３３、５４、６４を設け、遊技機１の上皿１２側（終端側）に各嵌合穴部５５、６５、７５を設ける構成を例示したが、その逆の構成としても良い。即ち、遊技装置２の払出口側（始端側）に各嵌合穴部５５、６５、７５に相当すする各嵌合穴部を設け、遊技機１の上皿１２側（終端側）に各嵌合凸部３３、５４、６４に相当する嵌合凸部を設ける構成としても良く、そのような構成でも同様の作用効果を見込むことができる。
【００４２】
又、遊技機１の種類は様々であり、遊技機１の上皿１２の高さが様々であることから、少なくとも複数種類の遊技機１の上皿１２の底面部１２ａにノズル２４の終端が当接すれば、その複数種類の遊技機１に対しては玉を払出す際に玉が弾んで零れる虞が低減される作用効果を見込むことができ、必ずしも全ての遊技機１の上皿１２の底面部１２ａにノズル２４の終端が当接する必要はない。
【００４３】
図１９及び図２０は、前述した各ガイド部材５１、６１、７１を含むノズルガイド４１とは異なる構成のノズルガイド８１を示している。ノズルガイド８１は、第１ガイド部材５１と第２ガイド部材６１との何れとも異なる複数（図１９及び図２０では３個）の第４ガイド部材９１（スライドガイド部材に相当する）と、前述した第３ガイド部材７１とは異なる第５ガイド部材１０１（終端ガイド部材、スライドガイド部材に相当する）とを含む。
【００４４】
第４ガイド部材９１は、断面が略楕円状の筒状をなす本体部９２の側面であって長径に対して平行な長径面部の上部に設けられている一対の爪部９３と、その長径面部の下部に設けられている一対の嵌合凸部９４（第１嵌合部に相当する）とを有し、爪部９３には長径が垂直方向（上下方向）となる略楕円状の長穴が形成されており、その長穴がノズルアーム３１の嵌合凸部３３や他の第４ガイド部材９１の嵌合凸部９４を嵌合可能な嵌合穴部９５（第２嵌合部に相当する）とされている。
【００４５】
第５ガイド部材１０１は、断面が略楕円状の筒状をなす本体部１０２の側面であって長径に対して平行な長径面部の上部に設けられている一対の爪部１０３と、その長径面部の下部に形成されている開口部１０４とを有し、爪部１０３には長径が垂直方向（上下方向）となる略楕円状の長穴が形成されており、その長穴が第４ガイド部材９１の嵌合凸部９４を嵌合可能な嵌合穴部１０５（第２嵌合部に相当する）とされている。
【００４６】
前述した各ガイド部材５１、６１、７１を含むノズルガイド４１の構成では、ノズルガイド４１が遊技機１に対して平行方向と垂直方向との両方に搖動するが、各ガイド部材９１、１０１を含むノズルガイド８１の構成では、ノズルガイド８１が遊技機１に対して平行方向に搖動する一方で垂直方向に搖動せず、ガラス扉１９を開放する際の容易さは従来構成と変わらないが、各ガイド部材９１、１０１がスライド可能であるので、前述した第２ガイド部材６１の取付数を増減せずにノズルガイド４１の長さを調整可能であるのと同様に、第４ガイド部材９１の取付数を増減せずにノズルガイド８１の長さを調整可能である。このようにガラス扉１９を開放する際の容易さの向上を求めなければ、ノズルガイド８１が遊技機１に対して平行方向にのみ搖動する構成でも良い。
【００４７】
又、各ガイド部材５１、６１、７１、９１、１０１の各嵌合穴部５５、６５、７５、９５、１０５は、貫通している形状であっても良いし、貫通していない形状であっても良い。即ち、第４ガイド部材９１を代表して説明すると、図２１に示すように、第４ガイド部材９１の嵌合穴部９５が貫通している形状であっても良いし、図２２に示すように、爪部９３に代えて爪部９６が設けられ、貫通していない嵌合穴部９７（第２嵌合部に相当する）が爪部９６に形成されていても良い。尚、第４ガイド部材９１以外の各ガイド部材５１、６１、７１、１０１の各嵌合穴部５５、６５、７５、１０５についても同様である。
【００４８】
又、各ガイド部材５１、６１、７１、９１、１０１の各嵌合穴部５５、６５、７５、９５、１０５がノズルアーム３１の嵌合凸部３３や各ガイド部材５１、６１、７１、９１の各嵌合凸部５４、６４、７４、９４から外れないようにストッパを有する各嵌合凸部が設けられていても良い。即ち、第４ガイド部材９１を代表して説明すると、図２３に示すように、嵌合凸部９４に代えて嵌合凸部９８が設けられ、その嵌合凸部９８の先端部が嵌合穴部９５よりも径大な形状であっても良い。尚、ノズルアーム３１の嵌合凸部３３や第４ガイド部材９１以外の各ガイド部材５１、６１、７１の各嵌合凸部５４、６４、７４についても同様である。
【００４９】
更に、アーム本体部３２の先端部や各ガイド部材５１、６１、７１、９１、１０１の各本体部５２、６２、７２、９２、１０２の断面が略楕円状である構成に代えて、断面が略長方形状である構成としても良い。その場合、長径面部に対応する長辺面部や短径面部に対応する短辺面部に嵌合凸部や嵌合凹部を適宜設ける構成とすれば良い。
【００５０】
以上に説明したように本実施形態によれば、次に示す効果を得ることができる。
遊技装置２のノズル２４のノズルガイド４１が各ガイド部材５１、６１、７１を含む構成において、各ガイド部材５１、６１、７１の自重により各ガイド部材５１、６１、７１がスライドすることで、高さが異なる複数種類の遊技機１の上皿１２にノズル２４の終端を当接可能としたので、ガイド部材２０４の取付数を増減してノズルガイド２０３の長さを調整する従来とは異なり、第２ガイド部材６１の取付数を増減せずにノズルガイド４１の長さを調整することができ、又、第３ガイド部材７１に開口部７４を設けたことで、ノズル２４の終端が上皿１２の底面部１２ａに当接しても玉の排出に影響を及ぼす虞を低減することができ、その結果、ノズルガイド４１の長さの調整に係る労力を低減することができる。
【００５１】
又、各嵌合凸部３３、５４、６４と嵌合する各嵌合穴部５５、６５、７４を長穴状としたので、長穴の長さによりスライド量を調整可能となり、例えばスライド量を玉の直径よりも短くすれば、各ガイド部材５１、６１、７１のスライドにより生ずる間隙から玉が零れる虞を低減することができる。
【００５２】
又、第２ガイド部材６１の本体部６２の短径面部６２ａに嵌合凸部６４や嵌合穴部６５を設けたので、その楕円に沿うように第２ガイド部材６１を捻ることで取外しや取付けを容易に行うことができ、第２ガイド部材６１の取付数を容易に増減することができる。特に第２ガイド部材６１にスライド機構があるので、第２ガイド部材６１の取外しや取付けをより一層容易に行うことができる。
【００５３】
又、ノズルガイド４１がガラス扉１９の開放方向に搖動するので、ガラス扉１９が開放する際に上皿１２と干渉してノズルガイド４１が破損する虞を低減することができる。
又、遊技機１における上皿１２は遊技機１の平行方向に長く形成されるのが一般的であると共に、遊技装置２が遊技機１の側方に設けられるので、玉の払出は平行方向に沿って行われることから、玉の払出に係るばらつきの許容範囲や払出に係る負荷が平行方向には大きく、垂直方向には小さくなり、遊技機１に対して垂直方向のみにノズルガイド４１を搖動可能とする構成では、玉零れやノズルガイド４１の破損が発生する虞が高まるとも考えられるが、遊技機１に対して平行方向にもノズルガイド４１を搖動可能としたので、払出に係る負荷が分散される等して、玉零れやノズルガイド４１の破損が発生する虞を低減することができる。
【００５４】
本発明は、上記した実施形態にのみ限定されるものではなく、以下のように変形又は拡張することができる。
各嵌合凸部３３、５４、６４や各嵌合穴部５５、６５、７４を一対とする構成を例示したが、嵌合凸部や嵌合穴部を１個や３個以上としても良い。嵌合凸部や嵌合穴部を３個以上とする場合には、一対の嵌合凸部や嵌合穴部に加えて補助的な１個の嵌合凸部や嵌合穴部を設ける構成や、一対の嵌合凸部や嵌合穴部を複数設ける構成が想定される。
【００５５】
遊技装置２を対価の支払いなしで遊技価値を付与する試打ちモードとすることを例示したが、そのような試打ちモードとすることなく本発明を採用しても良い。
記録媒体としてカードを例示したが、有価価値を特定可能な情報を記録可能であれば例えばコイン等の他の記録媒体であっても良い。又、数値、桁数、項目等は例示であり、どのような数値を採用しても良い。更に対象となる遊技機１は例示した以外の遊技機を対象としても良い。
【００５６】
例示した処理は、遊技装置２、表示装置３、中継装置４、或いは管理装置６等のどのような機器により行っても良い。又、変形例を含む例示した構成をどのように組み合わせても良いし、適宜、除外して採用しても良い。
【符号の説明】
【００５７】
図面中、１は遊技機、２は遊技装置、１２は上皿（受皿）、２４は払出ノズル、５１は第１ガイド部材（スライドガイド部材）、５４は嵌合凸部（第１嵌合部）、５５は嵌合穴部（第２嵌合部）、６１は第２ガイド部材（スライドガイド部材）、６４は嵌合凸部（第１嵌合部）、６５は嵌合穴部（第２嵌合部）、７１は第３ガイド部材（終端ガイド部材、スライドガイド部材）、７４は開口部、７５は嵌合穴部（第２嵌合部）、９１は第４ガイド部材（スライドガイド部材）、９４、９８は嵌合凸部（第１嵌合部）、９５、９７は嵌合穴部（第２嵌合部）、１０１は第５ガイド部材（終端ガイド部材、スライドガイド部材）、１０４は開口部、１０５は嵌合穴部（第２嵌合部）である。
【図１】
0006694274.tif 000002
【図２】
0006694274.tif 000003
【図３】
0006694274.tif 000004
【図４】
0006694274.tif 000005
【図５】
0006694274.tif 000006
【図６】
0006694274.tif 000007
【図７】
0006694274.tif 000008
【図８】
0006694274.tif 000009
【図９】
0006694274.tif 000010
【図１０】
0006694274.tif 000011
【図１１】
0006694274.tif 000012
【図１２】
0006694274.tif 000013
【図１３】
0006694274.tif 000014
【図１４】
0006694274.tif 000015
【図１５】
0006694274.tif 000016
【図１６】
0006694274.tif 000017
【図１７】
0006694274.tif 000018
【図１８】
0006694274.tif 000019
【図１９】
0006694274.tif 000020
【図２０】
0006694274.tif 000021
【図２１】
0006694274.tif 000022
【図２２】
0006694274.tif 000023
【図２３】
0006694274.tif 000024